(57)【要約】【課題】洋ランおよびミズゴケを使用した室内装飾体用板体を提供する。【解決手段】  陶土を焼成した板体であり、洋ランを糸３により止着可能で、またこの板体の表面は着生植物１が着生可能な表面処理が施され、またこの板体の裏面には凹凸加工が施されている。【選択図】図７
2020120634.tif 000002
【特許請求の範囲】
【請求項１】
着生植物を使用した植物装飾体を作成するためのものであって、陶土を焼成した板体であり、この板体には前記着生植物を該板体に止着するための糸もしくは紐が挿通される孔が設けられ、またこの板体の表面は前記着生植物が着生可能な表面処理が施され、またこの板体の裏面には凹凸加工が施されていることを特徴とする植物装飾体用板体。
【請求項２】
請求項１記載の植物装飾体用板体において、前記板体には該板体を吊り下げるためのフックを係止する係止孔が設けられていることを特徴とする植物装飾体用板体。
【請求項３】
請求項１、２いずれか１項に記載の植物装飾体用板体において、前記着生植物は洋ラン類であることを特徴とする植物装飾体用板体。
【請求項４】
着生植物を使用した植物装飾体であって、陶土を焼成した板体には前記着生植物を該板体に止着するための糸もしくは紐が挿通される孔が設けられ、またこの板体の表面は前記着生植物が着生可能な表面処理が施され、またこの板体の裏面には凹凸加工が施され、前記板体には前記着生植物が着生しているとともに、前記孔に挿通した糸もしくは紐により縛着されていることを特徴とする植物装飾体。
【請求項５】
請求項４において、前記着生植物はミズゴケなどにより覆われていることを特徴とする植物装飾体。
【請求項６】
請求項４、５いずれか１項に記載の植物装飾体において、前記板体には該板体を吊り下げるためのフックを係止する係止孔が設けられていることを特徴とする植物装飾体。
【請求項７】
請求項４〜６いずれか１項記に記載の植物装飾体において、前記着生植物は洋ラン類であることを特徴とする植物装飾体。
【請求項８】
着生植物を使用した植物装飾体の作成方法であって、陶土を焼成して構成した板体を水に浸漬した後、この板体の表面に所望の着生植物を載置し糸もしくは紐を巻回することで該着生植物を前記板体に固定せしめ、前記着生植物を育成して植物装飾体を作成することを特徴とする植物装飾体の作成方法。
【請求項９】
請求項８記載の植物装飾体の作成方法において、前記着生植物を適宜ミズゴケなどで覆って育成することを特徴とする植物装飾体の作成方法。
【請求項１０】
請求項８、９いずれか１項に記載の植物装飾体の作成方法において、前記着生植物の育成は、前記板体を適宜な台上に水平状態に載置して行うことを特徴とする植物装飾体の作成方法。
【請求項１１】
請求項８〜１０いずれか１項に記載の植物装飾体の作成方法において、前記着生植物は洋ラン類であることを特徴とする植物装飾体の作成方法。
【発明の詳細な説明】
【技術分野】
【０００１】
本発明は、着生植物を使用した室内装飾を簡易かつ良好に提供することができる植物装飾体用板体、植物装飾体およびその作成方法である。
【背景技術】
【０００２】
従来から植物を室内装飾としたいという要求があるが、植物の中でも着生植物、たとえば洋ラン類を用いた装飾は素人が作成することは厄介である。
【０００３】
例えば、特許文献１には、着生植物である洋ラン類の育成方法および育成器（以下、従来例という。）が開示されている。
【０００４】
この従来例１は、根絡と通気性を確保できる着生部材に養液を揚水可能な揚水部材を積層し、前記着生部材の適当箇所を欠損させて着生孔を設け、この着生孔に洋ラン類の根部を保水材とともに充填し、着生部材の下端を養液槽内に浸漬して洋ラン類を立面的に育成するものである。
【先行技術文献】
【特許文献】
【０００５】
【特許文献１】特開昭６１−２７４６３０号公報
【発明の概要】
【発明が解決しようとする課題】
【０００６】
しかしながら、従来例は着生部材に揚水部材を積層させること、着生部材に着生孔を形成すること、さらに、着生孔に洋ラン類を保水材とともに充填することなどが必須構成および必須作業であり、非常に厄介である。
【０００７】
本発明は着生植物を使用した室内装飾を簡易に作成することができる植物装飾体用板体、植物装飾体およびその作成方法を提供するものである。
【課題を解決するための手段】
【０００８】
添付図面を参照して本発明の要旨を説明する。
【０００９】
着生植物１を使用した植物装飾体２を作成するためのものであって、陶土を焼成した板体であり、この板体には前記着生植物１を該板体に止着するための糸３もしくは紐が挿通される孔４が設けられ、またこの板体の表面は前記着生植物１が着生可能な表面処理が施され、またこの板体の裏面には凹凸加工が施されていることを特徴とする植物装飾体用板体に係るものである。
【００１０】
また、請求項１記載の植物装飾体用板体において、前記板体には該板体を吊り下げるためのフック７を係止する係止孔８が設けられていることを特徴とする植物装飾体用板体に係るものである。
【００１１】
また、請求項１、２いずれか１項に記載の植物装飾体用板体において、前記着生植物１は洋ラン類であることを特徴とする植物装飾体用板体に係るものである。
【００１２】
また、着生植物１を使用した植物装飾体であって、陶土を焼成した板体には前記着生植物１を該板体に止着するための糸３もしくは紐が挿通される孔４が設けられ、またこの板体の表面は前記着生植物１が着生可能な表面処理が施され、またこの板体２の裏面には凹凸加工が施され、前記板体には前記着生植物１が着生しているとともに、前記孔４に挿通した糸３もしくは紐により縛着されていることを特徴とする植物装飾体に係るものである。
【００１３】
また、請求項４において、前記着生植物１はミズゴケ５などにより覆われていることを特徴とする植物装飾体に係るものである。
【００１４】
また、請求項４、５いずれか１項に記載の植物装飾体において、前記板体には該板体を吊り下げるためのフック７を係止する係止孔８が設けられていることを特徴とする植物装飾体に係るものである。
【００１５】
また、請求項４〜６いずれか１項記に記載の植物装飾体において、前記着生植物１は洋ラン類であることを特徴とする植物装飾体に係るものである。
【００１６】
また、着生植物１を使用した植物装飾体の作成方法であって、陶土を焼成して構成した板体を水９に浸漬した後、この板体の表面に所望の着生植物１を載置し糸３もしくは紐を巻回することで該着生植物１を前記板体に固定せしめ、前記着生植物１を育成して植物装飾体を作成することを特徴とする植物装飾体の作成方法に係るものである。
【００１７】
また、請求項８記載の植物装飾体の作成方法において、前記着生植物１を適宜ミズゴケ５などで覆って育成することを特徴とする植物装飾体の作成方法に係るものである。
【００１８】
また、請求項８、９いずれか１項に記載の植物装飾体の作成方法において、前記着生植物１の育成は、前記板体２を適宜な台10上に水平状態に載置して行うことを特徴とする植物装飾体の作成方法に係るものである。
【００１９】
また、請求項８〜１０いずれか１項に記載の植物装飾体の作成方法において、前記着生植物１は洋ラン類であることを特徴とする植物装飾体の作成方法に係るものである。
【発明の効果】
【００２０】
本発明は上述のように構成したから、着生植物を使用した室内装飾を簡易に作成することができる植物装飾体用板体、植物装飾体およびその作成方法を提供することが可能となる。
【図面の簡単な説明】
【００２１】
【図１】本実施例の正面斜視図である。
【図２】本実施例の背面斜視図である。
【図３】本実施例の生産過程説明断面図である。
【図４】本実施例の生産過程説明図である。
【図５】本実施例の生産過程説明図である。
【図６】本実施例の生産過程説明断面図である。
【図７】本実施例の使用状態説明図である。
【図８】本実施例の使用状態説明断面図である。
【発明を実施するための形態】
【００２２】
好適と考える本発明の実施形態を、図面に基づいて本発明の作用を示して簡単に説明する。
【００２３】
板体は、陶土を焼成したものであり、また、この板体の表面は着生植物１の着生が可能な表面処理が施されている。
【００２４】
この板体を水９に浸漬した後、板体の表面に、たとえば洋ランを載置し、この洋ランを糸３で縛り該洋ランを板体に固定する。続いて、洋ランの根の付近を保水のため、ミズゴケ５などを付着させる。板体は適度の通気性および通水性を有するため、洋ランに適度な水分が与えられるとともに、適度に保冷され（気化熱により板体の表面温度が低下するため）、さらにミズゴケ５が適度に保水し、よって、洋ランは良好に育成する。
【実施例】
【００２５】
本発明の具体的な実施例について図面に基づいて説明する。
【００２６】
本実施例の板体Ａは、可塑性に富んだ陶土を焼成したものであり、着生植物１の着生が可能な表面処理が施されているものである。
【００２７】
着生植物１は、板体Ａに着生するもの、着生しないもの、そもそも根をもたないものなど、種々あるが、本実施例は、洋ラン（着生ラン）を採用した場合である。
【００２８】
また、本実施例は洋ランの根を覆うものとしてミズゴケ５を採用した場合である。このミズゴケ５は乾燥ミズゴケを水で戻したものである。
【００２９】
ミズゴケ５は保水性に富み、着生植物１、この場合、高価な洋ランを長期に育成維持させることが可能となる。なお、ミズゴケ５は生きているものを採用することも可能であり、また、ミズゴケ５に限らず、保水作用を発揮するものであればどのようなものを用いてもよい。
【００３０】
本実施例の板体Ａは陶土を焼成したもの、すなわち陶器であり、正面視方形状で縦およそ１０センチメートル、横およそ８センチメートル、厚さおよそ１センチメートルの板体Ａである。この板体Ａは、表面に特別に保護樹脂などが塗布されておらず、また表面は、手で触った時にわずかに感じる程度の凹凸が形成されている。この板体Ａの表面に形成される微細な凹凸の大きさや高さの度合いは、陶土の調整であったり、焼成温度の調整で可変するものであり、適宜設定される。
【００３１】
また、この板体Ａには、糸３を挿通するための孔４及び板体Ａを吊り下げるためのフック７を係止する係止孔８が設けられている。
【００３２】
糸３は目立たないものであればどのようなものでもよく、本実施例では例えば木綿糸を採用している。
【００３３】
また、この板体Ａの裏面には複数本の凹溝６が縦方向に形成され、台10上に載置したり、壁面に吊り下げても通気性が確保される。この凹溝６は、陶土を焼成する前に形成され、焼成した際に縦方向への反りを阻止する機能も発揮する。
【００３４】
着生植物１が着生（付着）可能な表面処理は、前述した板体Ａの表面に形成される凹凸形状処理の他、例えばブラスト処理（粗し処理）など、着生植物１の根が係止可能となる処理であればどのような処理でも良い。
【００３５】
また、本実施例の板体Ａはいわゆる陶器である。繊維で構成したもの、不織布で構成したもの、合成樹脂で構成したもの、木で構成したものなど、種々実験した結果、陶器が適度の通気性および通水性を有し、着生植物１に適度の水分を与え、さらに着生植物１を適度に保冷するため、好ましいことを確認した（図８参照）。尚、陶器製の板体Ａが備える通気性および通水性は、陶土の調整であったり、焼成温度の調整で可変するものであり、適宜設定される。
【００３６】
以下、本実施例の植物装飾体２の生産方法について詳述する。
【００３７】
板体Ａを水９（水には養分を混入しおいても良い。）に浸漬した後（図３）、板体Ａを適当な台10の上に水平状態で載置し、続いて、この板体Ａの表面に洋ランを載置する（図４）。続いて、この洋ランの根の近傍にミズゴケ塊を適宜付着させる（このミズゴケ塊を板体Ａにまで付着させると洋ランが一層、保持固定される。）。続いて、孔４に糸３を挿通してこの板体Ａに洋ランを縛着する（図５）。なお、糸３の縛着の後、ミズゴケ塊を付着しても良い。板体Ａの通気性及び通水性（板体Ａに含浸した水が適度ににじみ出る。）により、洋ランには適度な水分が与えられ、また、洋ランは適度に保冷され、更にミズゴケ５の保水作用も相まって、洋ランは良好に育成し（図６）、ミズゴケ５で根の近傍が覆われた洋ランが付設された室内装飾体となる（ミズゴケ５が板体Ａにまで着生すると、洋ランは一層板体Ａに強く付着することになる。）。たとえば、ミズゴケ５を敷き詰めた水槽11の壁面にフック７を使用して掛けたりすることで斬新な装飾品となる（図７、図８）。
【００３８】
尚、本発明は、前記実施例に限られるものではなく、各構成要件の具体的構成は適宜設計し得るものである。
【符号の説明】
【００３９】
１  着生植物
２  植物装飾体
３  糸
４  孔
５  ミズゴケ
７  フック
８  係止孔
10  台
【図１】
2020120634.tif 000003
【図２】
2020120634.tif 000004
【図３】
2020120634.tif 000005
【図４】
2020120634.tif 000006
【図５】
2020120634.tif 000007
【図６】
2020120634.tif 000008
【図７】
2020120634.tif 000009
【図８】
2020120634.tif 000010